(57)【要約】カードトレー（１６）、カード搬送装置（１３，１４，１５）、カードトレー（１６）内のカード（１８，１８ａ）の位置又は停滞を検出するための装置（５２）及びカード処理機（１０）における不法行為によってカードトレー（１６）内で不正に停止されたカード（１８ａ）のための保持装置（２８，３０，３２，３８）が設けられており、カード搬送装置（１３，１４，１５）に搬送信号が送出されたにもかかわらず、カード（１８ａ）の位置変化が認識されない場合に前記保持装置が作動されるようになっている。
2006507612.tif 000002
【特許請求の範囲】
【請求項１】
カードトレー（１６）、カード搬送装置（１３，１４，１５）、カードトレー（１６）内のカード（１８，１８ａ）の位置又は停滞を検出するための装置（５２）及びカード処理機（１０）における不法行為によってカードトレー（１６）内で不正に停止されたカード（１８ａ）のための保持装置（２８，３０，３２，３８）が設けられており、カード搬送装置（１３，１４，１５）に搬送信号が送出されたにもかかわらず、カード（１８ａ）の位置変化が認識されない場合に前記保持装置が作動されるようになっていることを特徴とする、カード処理機。
【請求項２】
保持装置が少なくとも１つのグリッパ（３０）を有しており、該グリッパが、保持装置（２８，３０，３２，３８）の作動時にカードの片面と接触状態にもたらされてカード（１８ａ）を対応受けに押し付け、カード（１８ａ）に対しては、引出し力に対して相対的に大きな保持力を備えている、請求項１記載のカード処理機。
【請求項３】
前記対応受けが、グリッパ（３０）に対向位置する、第２のカード面に作用する対応グリッパ（３２）である、請求項２記載のカード処理機。
【請求項４】
グリッパ（３０，３２）がカード面と接触する範囲に、カード（１８ａ）と比較して高い摩擦係数を有している、請求項２又は３記載のカード処理機。
【請求項５】
グリッパ（３０，３２）のカード面と接触する範囲に少なくとも１つの歯状先端部（３８）が設けられており、該歯状先端部が、少なくとも引出し力の行使時にカード面に食込み可能である、請求項２又は３記載のカード処理機。
【請求項６】
グリッパ（３０）及び／又は対応グリッパ（３２）が偏心輪として形成されており、該偏心輪が、電気機械的な駆動装置（４６）によって軸線を中心として回動可能な軸（３４，３６）に相対回動不能に取り付けられており且つ該軸によって、カードトレー（１６）を解放する位置と保持位置との間で移動可能であり、しかも、前記軸がカード処理機（１０）の引込み方向で見て、偏心輪のカード（１８ａ）との接触域の手前に位置している、請求項２から５までのいずれか１項記載のカード処理機。
【請求項７】
前記偏心輪が円弧状に形成されたアームであり、該アームの一方の端部が軸（３４；３６）において相対回動不能であり、当該アームの他方の自由端部（２８）に、高い摩擦係数を有する領域又は少なくとも１つの歯状先端部（３８）が設けられている、請求項６記載のカード処理機。
【請求項８】
グリッパ及び／又は対応グリッパがてこ状に形成されており、カードトレー（１６）を解放する位置と保持位置の間で移動可能であり且つ費やされる引出し力の増大に伴って、カード（１８ａ）に加えられる保持力が増大するような角度でカード面に対して当付け可能である、請求項２から５までのいずれか１項記載のカード処理機。
【請求項９】
複数のグリッパ（３０）及び／又は対応グリッパ（３２）がカードトレー（１６）の幅にわたって配分されている、請求項２から８までのいずれか１項記載のカード処理機。
【請求項１０】
全てのグリッパ（３０）及び／又は対応グリッパ（３２）が一緒にカードトレー（１６）内へもたらされるが、個々のグリッパ（３０）及び／又は対応グリッパ（３２）のカードトレー（１６）内への侵入深さは、他のグリッパ及び／又は対応グリッパとは無関係である、請求項１から９までのいずれか１項記載のカード処理機。
【請求項１１】
グリッパ（３０，３２）が弾性材料から成っており且つプログレッシブな弾性係数を有している、請求項７から１０までのいずれか１項記載のカード処理機。
【請求項１２】
保持装置が少なくとも１本のピンを有しており、該ピンが保持装置の作動時にカードの片面と接触状態にもたらされてカードを貫通するようになっている、請求項１記載のカード処理機。
【発明の詳細な説明】
【技術分野】
【０００１】
本発明は、カード処理機に設けられたカード保持装置に関する。このカード保持装置はドイツ連邦共和国特許出願公開第１９５３５７８７号明細書から出発する。
【０００２】
カード処理機のカードスリットの前方に取り付けられた拘束装置によってクレジットカードを拘束する、現金自動支払機のカード処理機における不法行為の試みは公知となっている。これにより、クレジットカードはカード処理機の搬送装置によって引き込むことも、カードスリットへ搬送し戻すことも不可能となる。後で、拘束装置は拘束されたクレジットカードと一緒にカード処理機から取り外され、これにより、クレジットカードは関係者以外の手に渡ってしまう。
【０００３】
従って、前掲のドイツ連邦共和国特許出願公開第１９５３５７８７号明細書では、カードが故意に磁気カードリーダから引き出された場合に、メモリされた情報を破壊するための技術を有する方法及び装置が提案されている。提案された方法では、磁気カードの異常な停止及び停止後のカードの運動が検出され、この運動に関連して磁気情報破壊装置が作動する。
【０００４】
このような方法は磁気カードにしか適しておらず、少なくともコンタクト一体型のチップカードは、この方法では消去不能である。それというのも、チップカードが早期に停止した場合、チップカードのコンタクトはカード処理機のコンタクトと接続されないからである。更に、正当なカード所有者に消去後新しいカードを交付せねばならず、このことは時間的な遅れと付加的なコストを生ぜしめる。
【０００５】
従って本発明の課題は、あらゆるカードタイプに適したクレジットカード盗難防止装置を備えたカード処理機を提案することである。
【０００６】
この課題は、請求項１記載の構成によって解決される。
【０００７】
本発明は、引出しロックを設けた場合は、不法にカード処理機に取り付けられた拘束装置によって拘束されたクレジットカードが、カードトレーから引き出される恐れはないという考えから出発する。このことは本発明により、拘束装置をカードと一緒にカードトレーから大きな力で引き出そうとしても、カードを不動に保持する保持装置によって実現されている。但し、カード処理機の通常運転においてカードの運動性が損なわれてはならない。カード処理機における不法行為によって不正にカードトレー内で停止されたカードは、カード搬送装置に搬送信号が送出されたにもかかわらず、カードの位置変化が記録されないことで認識される。この場合に前記保持装置が作動される。
【０００８】
本発明の改良では、保持装置が少なくとも１つのグリッパを有しており、このグリッパは、保持装置の作動時にカードの片面と接触状態にもたらされてカードを対応受けに押し付け、カードに対しては、引出し力に対して相対的に大きな保持力を備えている。前記対応受けは、本発明の第１変化態様ではカードトレーの制限面又はこのカードトレー内に位置する別の定置の面から成っていてよい。
【０００９】
本発明の第２変化態様では、対応受けはグリッパに対向位置する、第２のカード面に作用する対応グリッパである。第１変化態様がグリッパ用の簡単な駆動装置の利点を有しているのに対して、第２変化態様の利点は、カードがカードトレーの中央で保持され延いては曲げ力に晒されないという点にある。
【００１０】
グリッパ及び／又は対応グリッパは、カード面と接触する範囲に、カードと比較して高い摩擦係数を有している。
【００１１】
有利な形状では、グリッパ及び／又は対応グリッパは、カード面と接触する範囲に、カード面に食込み可能な少なくとも１つの歯状先端部を備えている。このことは、カードを破壊する又は使用不能にすること無く、特に確実なカード拘束を生ぜしめる。
【００１２】
グリッパ及び／又は対応グリッパは偏心輪として形成されていてよく、この偏心輪は、電気機械式の駆動装置によって軸線を中心として回動可能な軸に相対回動不能に取り付けられており且つこの軸によって、カードトレーを解放する位置と保持位置との間で移動可能であり、この場合、前記軸はカード処理機の引込み方向で見て、偏心輪のカードとの接触域の手前に位置している。
【００１３】
有利には、グリッパ及び／又は対応グリッパは円弧状のアームとして形成されており、このアームの一方の端部は電気機械的な駆動装置によって軸線を中心として回動可能な軸に相対回動不能に取り付けられており且つ当該アームの他方の自由端部には高い摩擦係数を有する領域又は少なくとも１つの歯状先端部が設けられており、この場合、軸はカード処理機の引込み方向で見て、グリッパ及び／又は対応グリッパの接触域の手前に位置している。
【００１４】
本発明の択一的な形状に対応して、グリッパ及び／又は対応グリッパはてこ状に形成されており、費やされる引出し力の増大に伴って、カードに加えられる保持力が増大するような角度でカード面に対して当付け可能である。
【００１５】
本発明の別の有利な改良に対応して、複数のグリッパ及び／又は対応グリッパがカードトレーの幅にわたって配分されている。この場合、全てのグリッパ及び／又は対応グリッパを一緒にカードトレー内にもたらすことが可能であるが、個々のグリッパ及び／又は対応グリッパのカードトレー内への侵入深さは、他のグリッパ及び／又は対応グリッパとは無関係である。
【００１６】
グリッパによるカードの引出し封鎖に対して択一的に、不法行為が試みられるとカードを貫通するピンによって、カードをカード処理機内に保持することができる。有利には、ピンがレバーに固定されており、このレバーはカード搬送方向に対して横方向で組み込まれており、例えば偏心輪によってモータ駆動式で、ピンがカード搬送路を解放する第１の位置と、ピンがカードを貫通してカード搬送を阻止する第２の位置の間で移動可能である。
【００１７】
以下に、本発明の実施例を図面につき詳しく説明する。
【００１８】
図１及び図２には、それぞれカード処理機１０の引込み域が側方断面図及び平面図で示されている。カード導入口１２と第１の搬送ローラ対１３のみが示されており、この搬送ローラ対１３の上下のローラはそれぞれ搬送軸１４によって回転可能である。これらの搬送軸１４及びカード処理機１０の別の全てのカード搬送手段（図示せず）は、カード搬送用モータ１５と駆動結合されている。搬送軸１４は、カード処理機１０の引込み方向Ｅに対して垂直に位置しており且つ図１では中心線しか図示されていないカードトレー１６に対して平行に位置している。このカードトレー１６にはクレジットカード１８が部分的に導入されている。
【００１９】
カード導入口１２は上側の制限部材２０と下側の制限部材２２とから成っている。上側の制限部材２０には複数の切欠き２４が設けられており、下側の制限部材２２には複数の切欠き２６が設けられている。これらの切欠き２４，２６は互いに向かい合っている。各切欠き２４，２６には円弧状のグリッパ３０，３２の自由端部２８が、カードトレー１６がまだ解放されたままであるように突入している。アーム３０，３２は、例えばばね鋼等のプログレッシブな弾性曲線を有する弾性材料から成っている。上側のアーム３０は上側の軸３４と結合されており、下側のアーム３２は下側の軸３６と結合されている。各アーム３０，３２の自由端部２８には若干の歯状先端部３８が配置されている。これらの先端部の代わりに、又はこれらの先端部に加えて付加的に、アーム３０，３２の自由端部２８にはクレジットカード１８の材料に比べて高い摩擦係数を有する材料が配置されていてよい。
【００２０】
上側の軸３４は、カードトレー１６の外位に位置する上側の歯車４０と回転結合されており、この歯車４０は、下側の軸３６に相対回動不能に被せ嵌められた下側の歯車４２と噛み合っている。この下側の歯車４２にはピニオン４４が噛み合っており、このピニオン４４はアクチュエータ４６によって駆動可能である。歯車‐アクチュエータ４０，４２，４４，４６の代わりに、電磁石によって作動可能なレバー‐アクチュエータも使用可能である。
【００２１】
切欠き２４；２６と駆動ローラ対１３との間の領域において、上側の制限部材２０には上側の孔４８が設けられており、下側の制限部材２２には下側の孔５０が設けられている。これらの孔４８，５０は互いに向かい合っており且つクレジットカードの位置を検出するための装置５２のビームが通走する。
【００２２】
図３には、カード処理機１０の引込み域が、拘束装置（図示せず）によって不正にカード処理機１０内で保持されたクレジットカード１８ａと一緒に示されている。アーム３０，３２は保持位置に移動しており、歯状先端部３８がクレジットカード１８ａに係合しているということが認識される。
【００２３】
次に、カード処理機１０及びこのカード処理機１０内に配置されたカード保持装置の作動形式を説明する。カード処理機１０の準備位置では、アーム３０，３２は図１に示したように、カードトレー１６を解放している状態にある。ライトバリア５２のビームは両孔４８，５０を支障無く貫通可能である。今、クレジットカード１８が挿入方向Ｅでカードトレー１６内へ押しずらされると、ライトバリア５２のビームが中断されて、その信号が制御装置５４へ伝達される。更に、この制御装置５４はカード搬送モータ１５を接続し、クレジットカード１８は少し後で搬送ローラ１３によって把持される。ライトバリア５２のビームの中断は、制御装置５４において監視時間を開始させ、この監視時間内でライトバリア５２は再び放射されていなければならない。これは、カードが整然と搬送される場合のことである。しかし、クレジットカード１８がカードトレー１６内で保持された場合は、ライトバリア５２が放射されること無く監視時間が経過する。制御装置５４が更にアクチュエータ４６に給電し、これにより、アーム３０，３２は図３に示した保持位置へ移動される。この場合、アーム３０，３２のプログレッシブな弾性係数に基づいて、これらのアーム３０，３２は、移動距離の第１部分では様々なカード厚さ及び付加的にカードトレー１６に挿入された拘束装置にも適合可能である。移動距離の第２部分では、アーム３０，３２の弾性は低下して、これらのアーム３０，３２は生じ得る引出し力に比例して実質的に剛性になる。今、クレジットカード１８ａを無理矢理カード処理機１０から引き出そうとすると、先端部３８がそれぞれカード表面に食い込んで、アーム３０，３２が互いに向かって更に旋回される。これにより、上下アーム３０，３２の自由端部２８間の間隔は更に小さくなるので、保持装置の拘束力は更に大きくなり、その結果、クレジットカード１８ａをカード処理機１０から引き出すことは実質的に不可能になる。この場合、クレジットカード１８ａは、カード機能を損なわない先端部３８の押込み部に至るまで無傷のままである。アーム３０，３２は、正式に認可された担当者によってのみ、解放位置へ戻すことができる。
【図面の簡単な説明】
【００２４】
【図１】カード処理機の供給域の側方断面図である。
【図２】図１に示したカード処理機の供給域の平面図である。
【図３】図に示したカード処理機の供給域を、該供給域内で保持されたクレジットカードと一緒に示した図である。
【図１】
2006507612.tif 000003
【図２】
2006507612.tif 000004
【図３】
2006507612.tif 000005
【国際調査報告】
2006507612.tif 000006
2006507612.tif 000007
2006507612.tif 000008
2006507612.tif 000009